(57)【要約】【課題】  天井面に設置されたスプリンクラーヘッドが、カバープレートによって覆い隠されているコンシールド型スプリンクラーヘッドにおいて、近隣のスプリンクラーヘッドを被水させないと共に、コンシールド型スプリンクラーヘッドの特徴である意匠性が損なわれないコンシールド型スプリンクラーヘッドの被水防止手段を提供する。【解決手段】  スプリンクラーヘッド２とカバープレート３の間に介在されるリテーナー４に、近隣のスプリンクラーヘッドを被水させない被水防止手段６を着脱可能に設置し、さらに常時被水防止手段６はカバープレート３内に収容されており、カバープレート３が落下した際に垂下される構造とした。【選択図】    図１
2008264021.tif 000002
【特許請求の範囲】
【請求項１】
火災の熱によって落下するカバープレートを有するスプリンクラーヘッドであり、該スプリンクラーヘッドは天井裏に設置され前記カバープレートによって室内側から隠蔽されているコンシールド型スプリンクラーヘッドにおいて、スプリンクラーヘッドとカバープレートの間に介在されるリテーナーに近隣のスプリンクラーヘッドを被水させない被水防止手段を着脱可能に設置したことを特徴とするコンシールド型スプリンクラーヘッドの被水防止手段。
【請求項２】
前記コンシールド型スプリンクラーヘッドの被水防止手段において、常時被水防止手段はカバープレート内に収容されており、カバープレートが落下した際に垂下される構造であることを特徴とする請求項１記載のコンシールド型スプリンクラーヘッドの被水防止手段。
【請求項３】
前記コンシールド型スプリンクラーヘッドの被水防止手段において、被水防止板は下端にフランジ面を有するリテーナーのフランジ面を挟持した状態で設置されることを特徴とする請求項１記載のコンシールド型スプリンクラーヘッドの被水防止手段。
【請求項４】
前記コンシールド型スプリンクラーヘッドの被水防止手段において、被水防止板は蝶番により回動自在にカバープレート内部に収容されており、カバープレートが落下した際に被水防止板の遮水部が垂下されることを特徴とする請求項１記載のコンシールド型スプリンクラーヘッドの被水防止手段。
【請求項５】
前記コンシールド型スプリンクラーヘッドの被水防止手段において、被水防止板は下端にフランジ面を有するリテーナーのフランジ面とカバープレートの間に設置される弾発体であることを特徴とする請求項１記載のコンシールド型スプリンクラーヘッドの被水防止手段。
【請求項６】
前記コンシールド型スプリンクラーヘッドの被水防止手段において、被水防止板には通気穴が穿設されていることを特徴とする請求項１記載のコンシールド型スプリンクラーヘッドの被水防止手段。
【請求項７】
前記コンシールド型スプリンクラーヘッドの被水防止手段において、スプリンクラーヘッドが作動して水が飛散される際に水の勢いによる脱落を防止する脱落防止手段を有していることを特徴とする請求項１記載のコンシールド型スプリンクラーヘッドの被水防止手段。
【請求項８】
前記コンシールド型スプリンクラーヘッドの被水防止手段において、カバープレート内に収容されている被水防止板の設置位置を確認可能なマーカーが付されていることを特徴とする請求項２記載のコンシールド型スプリンクラーヘッドの被水防止手段。
【発明の詳細な説明】
【技術分野】
【０００１】
本発明は、スプリンクラーヘッドが天井内部に隠蔽して設置されるコンシールドヘッドの被水防止手段に関するものである。
【背景技術】
【０００２】
コンシールド型スプリンクラーヘッドは、スプリンクラーヘッドが天井裏に設置されており、通常カバープレートによって覆い隠され、室内からはカバープレートしか見えない構造になっていることから、意匠性に優れたものとなっている（例えば、特許文献１参照）。
【０００３】
コンシールド型スプリンクラーヘッドのカバープレートは、火災による熱によって作動して落下する。カバープレートが落下すると天井裏に設置されたスプリンクラーヘッドが露出される。
【０００４】
一方、被水防止板は、主に住宅等の室内空間が狭い場所に設置されるスプリンクラーヘッドに用いられている（例えば、特許文献２参照）。スプリンクラーヘッド同士の設置距離が短い場合、一方のスプリンクラーヘッドが作動して水が散布されると、近隣に設置されたスプリンクラーヘッドから散布された水が付着してしまい、その被水したスプリンクラーヘッドは付着した水によってスプリンクラーヘッドの作動部が冷やされ、水が付着していないものと比較して作動時間が遅れてしまうおそれがあった。
【０００５】
【特許文献１】特開２００５−２７９０８３号公報
【特許文献２】特開平１０−２７２２０５号公報
【発明の開示】
【発明が解決しようとする課題】
【０００６】
コンシールド型スプリンクラーヘッドは、カバープレートによって覆い隠されているため、近隣のスプリンクラーヘッドが作動して水を散布しても、作動していないスプリンクラーヘッドが被水するおそれはないと考えるが、火災によりカバープレートが作動した状態のスプリンクラーヘッドがあった場合に、先に作動したスプリンクラーヘッドからの散水によってカバープレートが外れた状態のスプリンクラーヘッドが被水してしまう可能性がある。
【０００７】
しかしながら、コンシールド型スプリンクラーヘッドに被水防止板を設置すると、前述の優れた意匠性が損なわれてしまう。
【０００８】
また、被水防止板は相対するコンシールド型スプリンクラーヘッドの方向に設置されるものであり、被水防止板の設置位置および個数は室内のレイアウトによって都度変わる可能性があり、設置方向が柔軟に対応できる取り付け方法にしなければならない。
【０００９】
そこで本発明では、上記問題に鑑み、コンシールド型スプリンクラーヘッドにおいて、近隣のスプリンクラーヘッドを被水させないと共に、コンシールド型スプリンクラーヘッドの特徴である意匠性が損なわれないコンシールド型スプリンクラーヘッドの被水防止手段を提供することを目的としている。
【課題を解決するための手段】
【００１０】
上記の目的を達成するために、請求項１記載の発明は、火災の熱によって落下するカバープレートを有するスプリンクラーヘッドであり、該スプリンクラーヘッドは天井裏に設置され前記カバープレートによって室内側から隠蔽されているコンシールド型スプリンクラーヘッドにおいて、スプリンクラーヘッドとカバープレートの間に介在されるリテーナーに近隣のスプリンクラーヘッドを被水させない被水防止手段を着脱可能に設置したコンシールド型スプリンクラーヘッドの被水防止手段である。
【００１１】
請求項２記載の発明は、前記コンシールド型スプリンクラーヘッドの被水防止手段において、常時被水防止手段はカバープレート内に収容されており、カバープレートが落下した際に垂下される構造である請求項１記載のコンシールド型スプリンクラーヘッドの被水防止手段である。
【００１２】
請求項３記載の発明は、
前記コンシールド型スプリンクラーヘッドの被水防止手段において、被水防止板は下端にフランジ面を有するリテーナーのフランジ面を挟持した状態で設置される請求項１記載のコンシールド型スプリンクラーヘッドの被水防止手段である。
【００１３】
請求項４記載の発明は、前記コンシールド型スプリンクラーヘッドの被水防止手段において、被水防止板は蝶番により回動自在にカバープレート内部に収容されており、カバープレートが落下した際に被水防止板の遮水部が垂下される請求項１記載のコンシールド型スプリンクラーヘッドの被水防止手段である。
【００１４】
請求項５記載の発明は、前記コンシールド型スプリンクラーヘッドの被水防止手段において、被水防止板は下端にフランジ面を有するリテーナーのフランジ面とカバープレートの間に設置される弾発体である請求項１記載のコンシールド型スプリンクラーヘッドの被水防止手段である。
【００１５】
請求項６記載の発明は、前記コンシールド型スプリンクラーヘッドの被水防止手段において、被水防止板には通気穴が穿設されている請求項１記載のコンシールド型スプリンクラーヘッドの被水防止手段である。
【００１６】
請求項７記載の発明は、前記コンシールド型スプリンクラーヘッドの被水防止手段において、スプリンクラーヘッドが作動して水が飛散される際に水の勢いによる脱落を防止する脱落防止手段を有している請求項１記載のコンシールド型スプリンクラーヘッドの被水防止手段である。
【００１７】
請求項８記載の発明は、前記コンシールド型スプリンクラーヘッドの被水防止手段において、カバープレート内に収容されている被水防止板の設置位置を確認可能なマーカーが付されている請求項２記載のコンシールド型スプリンクラーヘッドの被水防止手段である。
【発明の効果】
【００１８】
請求項１記載の発明によれば、本発明の被水防止手段はコンシールド型スプリンクラーヘッドに設置されるものであり、スプリンクラーヘッドとカバープレートの間に介在され、カバープレートと天井面の間に位置するリテーナーに、被水防止手段を設置することで火災時にカバープレートが落下しても、リテーナーに設置されている被水防止板は落下すること無くその機能を発揮することができるものである。
【００１９】
本発明の被水防止手段は、火災によってカバープレートが落下した際に垂れ下がり、スプリンクラーヘッドが作動した場合に被水防止手段が設置された方向へ水を飛散させないよう構成されている。また、近隣に設置されたスプリンクラーヘッドが先に作動している場合、該スプリンクラーヘッドから散布される水がかからないように被水防止手段により水を遮ることも可能である。
【００２０】
また、リテーナーに近隣のスプリンクラーヘッドを被水させない被水防止手段を着脱可能に設置したことによって、室内のレイアウトが変更となった場合に、近隣に設置されるスプリンクラーヘッドの位置が変更されても、それに合わせて設置位置が変更可能な被水防止手段である。
【００２１】
請求項２記載の発明によれば、被水防止手段をカバープレート内部に収容したことで、常時においては被水防止板はカバープレート内部に隠れて見えないので、コンシールド型スプリンクラーヘッドの特徴である意匠性を損ねることがないものである。
【００２２】
請求項３記載の発明によれば、被水防止手段をリテーナーのフランジ面に挟持して設置したことで、フランジ周面上の任意の位置に被水防止板を設置することが可能となる。
【００２３】
請求項４記載の発明によれば、被水防止手段を回動自在に設置したことにより、カバープレートが落下すると被水防止板が垂下して近隣のスプリンクラーヘッドが被水することを防止できる。
【００２４】
請求項５記載の発明によれば、被水防止手段を弾発体にしたことで、火災時にはカバープレートの落下を助長するとともに、カバープレートの落下後においては弾発体が伸びた状態で垂れ下がり、近隣のスプリンクラーヘッドが被水することを防止できる。
【００２５】
請求項６記載の発明によれば、被水防止手段に通気穴を穿設したことで、火災時にカバープレートが落下して露出されたスプリンクラーヘッドが作動する前の状態で、被水防止手段が設置された方向から流れてくる熱気流を通過可能とし、スプリンクラーヘッドの作動を促すものである。
【００２６】
請求項７記載の発明によれば、スプリンクラーヘッドが作動した場合、散布される水の勢いによって被水防止手段が脱落することを防止し、近隣のスプリンクラーヘッドへの被水を確実に防止することが可能となる。
【００２７】
請求項８記載の発明によれば、コンシールド型スプリンクラーヘッドに被水防止手段を設置した後に、カバープレート内部に収容されている被水防止手段の設置方向を確認することが可能である。
【発明を実施するための最良の形態】
【００２８】
本発明において、コンシールド型スプリンクラーヘッドは、スプリンクラーヘッドが天井裏に設置され、下端にカバープレートが設置されたリテーナーをスプリンクラーヘッドに取り付ける構造となっている。あるいはリテーナーを天井面に固定して設置することも可能である。
【００２９】
被水防止手段は、前記リテーナーに着脱可能に設けられ、リテーナー外周部の近隣のスプリンクラーヘッドが存在する方向に向けて設置される。被水防止手段は、常時カバープレート内に収容されて隠されており、カバープレートが落下した際に垂れ下がり、スプリンクラーヘッドが作動した場合に被水防止手段が設置された方向へ水を飛散させないよう構成されている。また、近隣に設置されたスプリンクラーヘッドが先に作動している場合、該スプリンクラーヘッドから散布される水がかからないように被水防止手段により水を遮ることも可能である。
【００３０】
被水防止手段は、蝶番構造によって一片がリテーナーに固定され、他方の片が回動自在な構成としてもよいし、蛇腹状に折り曲げて構成してもよく、さらに弾発材料を屈曲させて形成することで弾発体としての作用も付加することができる。また所定の温度によって変形可能な形状記憶素子を使用することも可能である。
【００３１】
また、天井にコンシールド型スプリンクラーヘッドが設置された状態で、被水防止手段が設置された方向を確認しやすくするために、被水防止手段にマーカーを付すことも可能である。具体的には被水防止手段を着色したり、リテーナーに設置された状態でカバープレートの周縁からはみ出で見える突起や矢印のようなものを形成しておくことも可能である。
【実施例】
【００３２】
以下、この発明の実施例を図１から図４を参照して説明する。図１は被水防止手段が設置されているコンシールド型スプリンクラーヘッドの断面図、図２は図１の要部拡大図、図３は被水防止手段の斜視図、図４は図２の他の実施形態であり、（ａ）、（ｂ）は被水防止手段の脱落防止手段の実施例、（ｃ）は被水防止板に通気穴を設けたもの、（ｄ）は被水防止板が蛇腹状のもの、（ｅ）は（ｄ）のカバープレートが外れた状態をあらわす。
【００３３】
本発明の被水防止手段は、図１に示すコンシールド型スプリンクラーヘッド１に設置される。コンシールド型スプリンクラーヘッド１は、スプリンクラーヘッド部２とカバープレート３およびリテーナー４から構成され、カバープレート３とリテーナー４は、リテーナー４の鍔部５から下方に設けられた脚４Ａと低融点合金Ｓによって接合されている。
【００３４】
被水防止手段６は、スプリンクラーヘッド部２とカバープレート３の間に介在するリテーナー４の鍔部５に設置されるものであり、鍔部４を挟む挟持部７と被水防止板８から構成される。挟持部７は、弾性を有する板材を２つに折り曲げて形成される。下側の挟持部７Ａは中間部分が切欠かれており、該切欠き部分９に被水防止板８が設置される。
【００３５】
挟持部７の端部７Ｂは、外側に向かって傾斜が形成されている。該傾斜がガイドとなって、リテーナー４の鍔部５に挟持部７をスムーズに差し込めるようにしている。
【００３６】
挟持部７は前述の通り、リテーナー４の鍔部５を挟んだ状態で設置されるが、火災によりスプリンクラーヘッド部２が作動して水が放出される際に、水流の勢いによって鍔部５から外れてしまう可能性がある。外れを防止するために図４（ａ）に示すように挟持部７の内側に凸部１０を設けたり、同図（ｂ）のように切起こし部１１を形成してもよい。
【００３７】
被水防止板８は板状であり、上部には挟持部７の屈曲部７Ｃに回動自在に設置される軸８Ａが形成されている。被水防止板８は図４（ｃ）に示すように、開口１２を形成することも可能であり、該開口１２付近に切り起こし部１３を形成することも可能である。
【００３８】
あるいは同図（ｄ）、（ｅ）に示すように、蛇腹状に屈曲させた被水防止板８Ｂを設置することも可能である。被水防止板８Ｂは、カバープレート３が落下した際に自重によって下方へ延出させもよいし、または弾性材料から形成して弾発体としてカバープレート３の落下を促す作用を付加することもできる。被水防止板８Ｂも図４（ｃ）に示すように開口１２や切起こし部１３を設けることが可能である。
【００３９】
続いて本発明の被水防止手段の設置手順について説明する。
【００４０】
天井に設置されたコンシールド型スプリンクラーヘッドに、本発明の被水防止手段を近隣に設置されるスプリンクラーヘッドの方向に向けて設置するために、リテーナー４の鍔部５に挟持部７を差込む。その際、被水防止板８は挟持部７付近まで折りたたみ被水防止板８がカバープレート３の内部に収容されるように設置する。
【００４１】
次に、火災時における被水防止手段の動作について説明する。
【００４２】
火災が発生すると、カバープレート３とリテーナー４とを接合している低融点合金Ｓが溶融して、カバープレート３が落下する。カバープレート３が落下すると、カバープレート３内に収容されていた被水防止板８が垂下される。被水防止板８が垂下したことによって、先に作動して水を散布しているスプリンクラーヘッドがある場合、該スプリンクラーヘッドから飛散した水が、カバープレート３が落下したスプリンクラーヘッド部２にかかることが防止される。
【００４３】
カバープレート３の落下に続いて、スプリンクラーヘッド部２が作動し、散水が開始される。スプリンクラーヘッド部２から散布される水は、四方に略均一に散布されるが、被水防止板８に衝突した水は、水の軌跡が下方に向けられ被水防止板８が設置された方向への飛距離が制限される。従って、近隣のスプリンクラーヘッドにスプリンクラーヘッド部２から散布された水がかかることを防止できる。
【図面の簡単な説明】
【００４４】
【図１】被水防止手段が設置されているコンシールド型スプリンクラーヘッドの断面図
【図２】図１の要部拡大図
【図３】被水防止手段の斜視図
【図４】図２の他の実施形態
【符号の説明】
【００４５】
１  コンシールド型スプリンクラーヘッド  
２  スプリンクラーヘッド部
３  カバープレート
４  リテーナー
５  鍔部
６  被水防止手段
７  挟持部
８  被水防止板
９  切欠き部分
１０  凸部
１１  切起こし部
１２  開口
１３  切起こし部
【図１】
2008264021.tif 000003
【図２】
2008264021.tif 000004
【図３】
2008264021.tif 000005
【図４】
2008264021.tif 000006